(57)【要約】      （修正有）【課題】小動物に対して、行動の多様化を支援するとともに、適度な乾燥状態を維持する好適な飼育環境を、より簡単に提供できる飼育用具を提供する。【解決手段】水分を吸収するパルプの１枚のシートを折り曲げて組み立てられる小動物の飼育用具１に、飼育用具を載置可能にする底部１１と、底部の一部を上面視において覆う屋根部１２と、底部、屋根部、及び壁部１３で挟まれた空間である中空部１４と、側方において小動物が中空部へ出入り可能に開口する開口部１５とを設け、シートの縁から突出する突片１１１がシートで開口する挿入孔１１３に嵌挿されるようにした。【選択図】図１
0003197410.tif 000002
【実用新案登録請求の範囲】
【請求項１】
小動物の飼育用具であって、
パルプの１枚のシートが折り曲げられて組み立てられ、
水平面に接して前記飼育用具を載置可能にする略平板状の底部と、
前記底部の前記水平面と接する板面と反対側の板面の少なくとも一部を、上面視において覆う屋根部と、
前記底部及び前記屋根部を側方で接続する壁部と、
前記底部、前記屋根部、及び前記壁部で挟まれた空間である中空部と、
側方において前記小動物が前記中空部へ出入り可能に開口する開口部と
を備え、
前記シートの縁から突出する突片が前記シートで開口する挿入孔に嵌挿された、
飼育用具。
【請求項２】
前記組み立てられる飼育用具の立体形状が１枚のシート状に展開された形状であり、
前記底部、前記屋根部、及び前記壁部を構成する面を画定する折り目を有する、
請求項１に記載の飼育用具。
【請求項３】
前記組み立てられる飼育用具の立体形状は、中空の略五角柱の立体形状であり、
前記立体形状において、
前記底部は、１枚の長方形の略平板状の部材であり、
前記壁部は、前記底部に接続された２枚の長方形の略平板状の部材であり、
前記屋根部は、前記壁部の２枚の部材それぞれに接続され、互いに接続される２枚の長方形の略平板状の部材である、
請求項１または２に記載の飼育用具。
【請求項４】
前記組み立てられる飼育用具の立体形状は、六角形の下底面と、三角形の上底面と、３面の四角形及び３面の三角形が交互に接続される側面と有する中空の多面体から、前記側面の３面の三角形を除いて開口させた立体形状であり、
前記立体形状において、
前記底部は、１枚の六角形の略平板状の部材であり、
前記壁部は、３枚の四角形の略平板状の部材であり、
前記屋根部は、１枚の三角形の略平板状の部材である、
請求項１または２に記載の飼育用具。
【請求項５】
前記シートは、厚さが０．５〜１．３ｍｍの単層のパルプシートである、
請求項１から４の何れか一項に記載の飼育用具。
【考案の詳細な説明】
【技術分野】
【０００１】
本考案は、小動物の飼育用具に関する。
【背景技術】
【０００２】
マウスやラット等の小動物は、実験動物として利用されている。これらの小動物を用いた動物実験で正確なデータを得るためには、清潔でストレス等の少ない、一定の環境の下で小動物を飼育する必要がある。
【０００３】
従来、ストレス等を軽減するために、豊かな飼育環境を提供する環境エンリッチメントの試みが行われている。環境エンリッチメントでは、飼育動物に刺激や選択の余地等を与え、飼育動物の活動性や行動の多様性を高めて、異常な行動を減らす。例えば、マウスの環境エンリッチメントのために、ドーム状のプラスチック製の器具（イグルーと呼ばれることがある）や、回転型トラックのプラスチック製の器具等を、飼育ケージ内に設置することがあった。これらの器具は、くぐる、隠れる、走る等の行動を可能とし、マウスのストレス等を緩和し得る。
【考案の概要】
【考案が解決しようとする課題】
【０００４】
しかし、これらのドーム状等のプラスチック製の器具は、その容積等に起因して、運搬、廃棄等が必ずしも簡単ではなかった。また、小動物を清潔な環境で飼育するためには、高い吸水性を有する床敷材等を、これらのプラスチック製の器具とは別途に準備する必要があった。特に、多数の小動物を飼育する場合、飼育者等の負担が大きくなることがあった。
【０００５】
このような状況に鑑み、本考案は、小動物に対して、行動の多様化を支援するとともに、適度な乾燥状態を維持する好適な飼育環境を、より簡単に提供できる飼育用具を提供することを課題とする。
【課題を解決するための手段】
【０００６】
本考案は、上記課題を解決するために、以下の手段を採用した。すなわち、本考案は、小動物の飼育用具であって、パルプの１枚のシートが折り曲げられて組み立てられ、水平面に接して飼育用具を載置可能にする略平板状の底部と、底部の水平面と接する板面と反対側の板面の少なくとも一部を、上面視において覆う屋根部と、底部及び屋根部を側方で接続する壁部と、底部、屋根部、及び壁部で挟まれた空間である中空部と、側方において小動物が中空部へ出入り可能に開口する開口部とを備え、シートの縁から突出する突片がシートで開口する挿入孔に嵌挿された、飼育用具である。
【０００７】
ここで、小動物は、成体になっても比較的小さな動物であり、例えば、げっ歯類のマウス、ラット、ハムスター等を例示できる。小動物は、例えば、実験動物であるが、愛玩動物等も含む。また、飼育用具は、水平面に限らず、斜面に底部が接して載置されるものを含む。
【０００８】
このような本考案の飼育用具では、開口部から小動物が中空部へ出入りできるため、飼育ケージ等の飼育環境において、小動物に対して、くぐる、隠れる等の行動を可能にし、行動の多様化が支援される。更に、飼育用具は、パルプのシートであるため、尿や飲料水等の水分を素早く吸収して適度な乾燥状態を維持する。これらの支援や乾燥状態の維持の機能が、運搬、組み立て、廃棄等が容易な１枚のパルプのシートから組み立てられた飼育
用具により提供される。そのため、小動物に対して、行動の多様化を支援するとともに、適度な乾燥状態を維持する好適な飼育環境を、より簡単に提供できる。
【０００９】
また、本考案に係る飼育用具は、次の特徴を有するものであってもよい。組み立てられる飼育用具の立体形状が１枚のシート状に展開された形状であり、底部、屋根部、及び壁部を構成する面を画定する折り目を有する。
【００１０】
このような飼育用具は、折り目で折り曲げて突片を挿入孔に嵌挿することで、簡単に組み立てることができる上に、パルプがシート状に展開された形状であるため、軽量かつ省スペースであり、運搬性や保管性に優れる。
【００１１】
また、本考案に係る飼育用具は、次の特徴を有するものであってもよい。組み立てられる飼育用具の立体形状は、中空の略五角柱の立体形状であり、立体形状において、底部は、１枚の長方形の略平板状の部材であり、壁部は、底部に接続された２枚の長方形の略平板状の部材であり、屋根部は、壁部の２枚の部材それぞれに接続され、互いに接続される２枚の長方形の略平板状の部材である。
【００１２】
ここで、長方形は、４辺の長さが等しい正方形を含む広義の長方形を意味する。このような飼育用具では、組み立てられた立体形状において、五角形に開口するため、飼育用具全体が比較的小さくても、マウス等の胴体が円筒に近い小動物が出入りしやすい。そのため、小動物が出入りがしやすい環境エンリッチメントの用具を省スペースで提供できる。また、このような飼育用具は、展開した形状が比較的シンプルであり、少ない折り曲げの回数で迅速に組み立てることができる。
【００１３】
また、本考案に係る飼育用具は、次の特徴を有するものであってもよい。組み立てられる飼育用具の立体形状は、六角形の下底面と、三角形の上底面と、３面の四角形及び３面の三角形が交互に接続される側面と有する中空の多面体から、側面の３面の三角形を除いて開口させた立体形状であり、立体形状において、底部は、１枚の六角形の略平板状の部材であり、壁部は、３枚の四角形の略平板状の部材であり、屋根部は、１枚の三角形の略平板状の部材である。
【００１４】
ここで、中空の多面体は、例えば、正六角形の下底面と、正三角形の上底面と、３面の正方形及び３面の三角形が交互に接続される側面とを有し、ジョンソンの立体として知られる正三角台塔である。このような飼育用具では、底部が六角形であるので、比較的大きな床面を提供して床敷材としての十分に機能を発揮可能であるとともに、概ねドーム型で比較的広い暗所を提供できる。その上、展開した形状が込み入っておらず、簡単な手順で立体形状に組み立てることができる。
【００１５】
また、本考案に係る飼育用具は、次の特徴を有するものであってもよい。シートは、厚さが０．５〜１．３ｍｍの単層のパルプシートである。
【００１６】
このような飼育用具の厚さは、小動物がかじりやすい厚さであるため、かじる行動を促し、また、小動物が、かじりとった飼育用具の一部を細かく砕いて巣材として利用できる。また、単層であるため安価に製造できる。
【考案の効果】
【００１７】
本考案によれば、本考案は、小動物に対して、行動の多様化を支援するとともに、適度な乾燥状態を維持する好適な飼育環境を、より簡単に提供できる。
【図面の簡単な説明】
【００１８】
【図１】図１は、実施形態１に係る飼育用具を例示した図である。
【図２】図２は、実施形態１に係る飼育用具の使用状態を例示する斜視図である。
【図３】図３は、実施形態２に係る飼育用具を例示した図である。
【考案を実施するための形態】
【００１９】
以下、本考案の実施形態を説明する。以下に示す実施形態は例示であり、本考案の技術的範囲はこれらに限定されるものではない。
【００２０】
≪概要≫
実施形態の飼育用具は、マウス、ラット等の実験用小動物の飼育に用いられ、単層の１枚のパルプシートから組み立てられる組み立て式の飼育用具である。組み立てられた飼育用具は、飼育ケージに設置され、飼育対象の小動物に対して、くぐる、噛む、隠れる等の行動を支援して環境エンリッチメントに寄与するとともに、適度に乾燥した清潔な状態を維持する好適な飼育環境を提供する。
【００２１】
飼育用具は、例えば、パルプシートが、抜き型等を用いて抜き加工され、後述する特定の形状に成形されて、製造される。なお、カッティングプロッター、レーザー加工機等により成形されてもよい。
【００２２】
実施形態で用いられるパルプシートは、厚さが０．５〜１．３ｍｍである。具体的な厚さとして、小動物がかじりやすく、通常の圧縮装置等を用いて製造容易な０．８ｍｍを例示できる。当該パルプシートは、例えば、木材を常法に従って蒸解、洗浄、漂白して得られるパルプを、単層のシート状に成形することで製造される。製造過程では、重層化や抄紙等の加工が施されない。パルプの種類は、特に制限されないが、例えば、クラフトパルプや亜硫酸パルプを例示できる。パルプの原料となる木材の種類も、特に制限されないが、広葉樹を例示できる。このような飼育用具の材料となるパルプシートは、多孔性の微細構造等によって高い通気性と吸水性を有するとともに、安価に製造可能である。
【００２３】
また、実施形態で用いられるパルプシートは、例えば、木材等から直接作られたバージンパルプにより製造され、有害物質である砒素（検出限界０．５ｐｐｍ）、ホルムアルデヒド（検出限界５ｐｐｍ）、鉛（検出限界０．５ｐｐｍ）、カドミウム（検出限界０．１ｐｐｍ）、蛍光物質の何れもが、検出限界以下のものである。そのため、高い安全性が確保されるとともに、飼育用具の成分が動物実験の実験データへ影響することが抑制される。
【００２４】
以下、このような飼育用具に関し、概ね中空の正五角柱の立体形状に組み立てられる実施形態１、及び、概ね中空の正三角台塔の立体形状に組み立てられる実施形態２について、順に説明する。
【００２５】
≪実施形態１≫
【００２６】
図１は、実施形態１に係る飼育用具を例示した図である。図１において、（Ａ）は組み立てられた飼育用具１の立体形状の斜視図であり、（Ｂ）はシート状に展開された飼育用具１の展開図である。
【００２７】
（立体形状）
図１（Ａ）が示すように、組み立てられた飼育用具１は、概ね中空の正五角柱の立体形状を有する。立体形状の飼育用具１は、長方形の略平板状の部材である底部１１と、互いに接続される２枚の長方形の略平板状の部材である屋根部１２と、底部１１及び屋根部１２に接続された２枚の長方形の略平板状の部材である壁部１３とを有する。
【００２８】
底部１１は、その下面が、飼育ケージの床面等の水平面に接して飼育用具１全体を支え、飼育用具１を水平面に載置可能にする。また、底部１１の上面は、小動物が載る床面を提供する。実施形態１の底部１１は、凸形状の突片１１１と、挿入孔が設けられて突片１１１が嵌挿された開口板１１２との２つの部材で構成される。屋根部１２は、底部１１の上方に設けられ、上面から見た場合において底部１１の上面（水平面と接する下面と反対側の板面）を覆う。壁部１３は、底部１１及び屋根部１２を側方（図１（Ａ）における右側面及び左側面）で接続する。具体的には、壁部１３を構成する略平板状の２つの部材それぞれが、底部１１の縁から鉛直上向き方向に進む程、互いに離れるように傾斜して延び、屋根部１２に接続される。なお、飼育用具１は、図１（Ａ）における屋根部１２や壁部１３を形成する外面が水平面に接するように飼育ケージの床面等に載置されてもよい。
【００２９】
また、図１（Ａ）が示すように、組み立てられた飼育用具１は、底部１１、屋根部１２、及び壁部１３で挟まれた空間である中空部１４を有する。中空部１４は、略正五角柱の空間である。また、組み立てられた飼育用具１は、側方において小動物が中空部１４へ出入り可能に開口する開口部１５を２つ有する。実施形態１の開口部１５は、正五角形状に開口する。開口部１５の寸法として、一辺が４０ｍｍ程度の正五角形を例示できる。また、中空部１４の寸法として、奥行き６０ｍｍ程度を例示できる。なお、中空部１４や開口部１５の寸法は、飼育対象の小動物の体長や体高等に応じて調整されることが好ましく、例示した寸法に限定されるわけではない。
【００３０】
（展開形状）
図１（Ｂ）が示すように、展開された飼育用具１の形状では、底部１１、屋根部１２、及び壁部１３を構成する長方形または凸形状の面が、折り目１６を介して一列に接続される。折り目１６は、谷折りの線であり、各面を画定する。折り目１６は、例えば、厚み方向に凹凸をつける筋入れ加工により形成される。なお、折り目１６は、厚さの半分まで切れ目を入れるハーフカット等、その他の加工により形成されてもよい。
【００３１】
図１（Ｂ）では、突片１１１が、右端から右方向へ突出する。また、実施形態１では、突片１１１が、丸角となるように突出し、突片１１１の角により飼育用具１を組み立てる者や飼育対象の小動物に怪我が生ずることが抑制される。
【００３２】
図１（Ｂ）では、開口板１１２が、左端の面として配置される。開口板１１２には、突片１１１が突出する方向と垂直な方向が長手となるように長方形に開口する挿入孔１１３が設けられる。挿入孔１１３の短手方向の開口幅は、飼育用具１のシートの厚み程度である。挿入孔１１３には、突片１１１を挿入して嵌めることが可能である。突片１１１が挿入孔１１３に挿入されると、シート表面の摩擦により突片１１１が係止される。
【００３３】
このように展開された形状の飼育用具１を、折り目１６で折り曲げ、突片１１１を挿入孔１１３へ嵌挿することで、図１（Ａ）で示される立体形状に組み立てることができる。
【００３４】
なお、突片１１１は、好ましくは図１のように１片のみ設けられるが、突片１１１は複数片設けられ、嵌挿先の挿入孔１１３も対応する位置に複数設けられてもよい。また、突片１１１は、二股に分かれる等、図１に示される形状とは異なる形状であってもよい。
【００３５】
（使用状態）
図２は、実施形態１に係る飼育用具１の使用状態を例示する斜視図である。図２には、飼育ケージ２が示されており、飼育ケージ２内には、立体形状に組み立てられた飼育用具１、飼育ケージ２で飼育される小動物であるマウスＭ、及び、飼育用具１から切り離されたパルプ断片４が示されている。
【００３６】
飼育ケージ２は、マウスＭを飼育するために用いる透明なプラスチック製（例えば、ポリカーボネート樹脂製）の容器である。なお、飼育ケージ２は、プラスチックに限らず他の材質で形成されてもよい。また、図２では蓋を図示していないが、飼育ケージ２の上部には、例えば金属製の網状の蓋が載せられてもよい。
【００３７】
飼育用具１は、底部１１の下面が飼育ケージ２の床面に接するように載置される。飼育ケージ２に載置された飼育用具１は、図２の紙面上において、上下左右が屋根部１２、底部１１、及び壁部１３の板面で囲われ、前後が開口した正五角柱のトンネル型の空間（中空部１４）をマウスＭへ提供する。そのため、マウスＭは、くぐる、隠れる等の行動をとることができる。特に、実施形態１の飼育用具１は、五角形に開口するため、飼育用具１全体が比較的小さくても、マウスＭ等の胴体が円筒に近い小動物が出入りしやすい。
【００３８】
図２では、マウスＭが、飼育用具１の底部１１に載り、中空部１４に居るように示される。飼育用具１はパルプ製であるので、マウスＭは、飼育用具１をかじる行為も行うことができる。飼育用具１からかじりとられ、細かく砕かれたパルプ断片４は、巣作りの材料として用いることもできる。図２では、飼育用具１からかじりとられた部分４１、及び、かじりとられて形成されたパルプ断片４が示されている。上述のように、実施形態１の飼育用具１は、かじりやすい厚みであり、かじる行為を促すのに適している。
【００３９】
なお、図２では、１匹のマウスＭが示されているが、複数匹のマウス等が飼育される飼育ケージ２に飼育用具１が設置されてもよい。また、１個の飼育ケージ２には、複数の飼育用具１が設置されてもよい。また、飼育ケージ２内には、床敷材等のその他の飼育用具が、更に設置されてもよい。
【００４０】
（作用効果）
以上説明した実施形態１の飼育用具１は、パルプの１枚のシートから組み立てられるため、安価に製造できる。飼育用具１は、組み立て前のシート状の形態では容積が小さいため、運搬が容易である。また、飼育用具１は、展開した形状が比較的シンプルであり、折り目１６で折り曲げて１片の突片１１１を嵌挿するのみで、工具や接着材等を用いずに迅速に組み立てることができる。また、組み立て前の形状には折り目１６が設けられているので、飼育者等は、組み立て説明書等を参照すること要さずに、飼育用具１を直感的に組み立てることも可能である。
【００４１】
更に、飼育用具１は、パルプ製であるため、載置された飼育ケージ２内において、マウスＭの尿や飲料水等の水分を素早く吸収し、アンモニアガスの発生を低減させることができ、衛生的な飼育環境の維持に寄与する。組み立てられた飼育用具１は、マウスＭに、くぐる、隠れる、かじる等の小動物にとって自然で多様な行為を可能にし、ストレスの軽減等に寄与する。また、飼育用具１からかじりとられたパルプ断片４は、営巣の材料を提供する。また、飼育用具１は、パルプ製であるため、軽量で廃棄が容易であり、交換も容易である。
【００４２】
このように、飼育用具１は、小動物に対して、行動の多様化を支援して環境エンリッチメントに寄与するとともに、適度に乾燥した清潔な状態を維持する好適な飼育環境を提供できる。そして、飼育用具１は、運搬、組み立て、廃棄等が容易であるため、このような小動物の好適な飼育環境を、より簡単に提供することができる。
【００４３】
また、飼育用具１を飼育ケージ２に設置すれば、環境エンリッチメントのための専用器具を別途に要さないため、限られた飼育ケージ２内のスペースを有効活用できる。環境エンリッチメントのためのプラスチック製の専用器具と十分な量の床敷材等との双方を飼育
ケージ２内に設置することが難しい場合でも、実施形態１の飼育用具１を用いれば、環境エンリッチメントと清潔な飼育環境との双方を実現し得る。
【００４４】
≪実施形態２≫
飼育用具が概ね中空の正三角形台塔の立体形状に組み立てられる実施形態２について、上述の実施形態１と異なる点を中心に説明する。
【００４５】
図３は、実施形態２に係る飼育用具を例示した図である。図２において、（Ａ）〜（Ｃ）は組み立てられた実施形態２の飼育用具１Ａの立体形状を示し、（Ｄ）はシート状に展開された飼育用具１Ａの展開図を示す。（Ｅ）は、シート状に展開された飼育用具１Ａの別の展開図を例示する。図２において、（Ａ）は斜視図であり、（Ｂ）は底面図であり、（Ｃ）は上面図（平面図）である。
【００４６】
（立体形状）
図３（Ａ）〜（Ｃ）が示すように、組み立てられた飼育用具１Ａは、概ね中空の正三角台塔から、３側面の正三角形を除いて開口させた立体形状を有する。ここで、正三角台塔は、正六角形の下底面と、正三角形の上底面と、３面の正方形及び３面の正三角形が交互に接続される側面と有する多面体である。立体形状の飼育用具１Ａは、１枚の正六角形の略平板状の部材である底部１１Ａと、３枚の正方形の略平板状の部材である壁部１３Ａと、１枚の三角形の略平板状の部材である屋根部１２Ａとを有する。組み立てられた飼育用具１Ａの寸法として、各面が、１辺６０ｍｍの正六角形、１辺６０ｍｍの正三角形、及び１辺６０ｍｍの正方形で構成されるものを例示できる。
【００４７】
実施形態２の底部１１Ａ、屋根部１２Ａ、及び壁部１３Ａは、それぞれ、実施形態１の底部１１、屋根部１２、及び壁部１３と同様の役割を担う。実施形態２の底部１１Ａには、挿入孔が２孔設けられ、２片の突片１１１Ａが、嵌挿される。実施形態２の屋根部１２Ａは、底部１１Ａと平行に位置する。実施形態２の壁部１３Ａを構成する略平板状の３つの部材それぞれは、底部１１Ａから互いに近づくように傾斜して延び、屋根部１２Ａの各辺に接続される。
【００４８】
底部１１Ａ、屋根部１２Ａ、壁部１３Ａによって挟まれた中空部１４Ａは、略正三角台塔の空間である。また、飼育用具１Ａの立体形状は、側方において小動物が中空部１４Ａへ出入り可能に正三角形状に開口する開口部１５Ａを３つ有する。
【００４９】
（展開形状）
図３（Ｄ）が示すように、展開された飼育用具１Ａの形状では、谷折りの線である折り目１６Ａが、底部１１Ａ、屋根部１２Ａ、及び壁部１３Ａを構成する各面Ｐ１Ａ〜Ｐ５Ａを画定する。図３（Ｄ）では、２片の突片１１１Ａそれぞれが、右端に位置する面Ｐ４Ａ及びＰ５Ａから突出する。具体的には、２片の突片１１１Ａは、面Ｐ４Ａ及びＰ５Ａそれぞれにおいて、面Ｐ３Ａと接続される辺Ｅ５、Ｅ６と対向する辺Ｅ１、Ｅ２から、辺Ｅ５、Ｅ６と離れる方向へ突出する。
【００５０】
図３（Ｄ）では、底部１１Ａを構成する面Ｐ１Ａが、左端の面として配置される。面Ｐ１Ａには、辺Ｅ３と平行な方向が長手となるように長方形に開口する挿入孔１１３Ａが設けられる。また、面Ｐ１Ａには、辺Ｅ４と平行な方向が長手となるように長方形に開口する挿入孔１１３Ａも設けられる。２孔の挿入孔１１３Ａには、２片の突片１１１Ａを挿入して嵌めることが可能である。突片１１１Ａを挿入するには、展開された飼育用具１Ａを各折り目１６Ａで折り曲げて、面Ｐ４Ａの辺Ｅ１と面Ｐ１Ａの辺Ｅ３とを重ね合わせ、面Ｐ５Ａの辺Ｅ２と面Ｐ１Ａの辺Ｅ４とを重ね合わせる。そして、突片１１１Ａを挿入孔１１３Ａへ嵌挿することで、図３（Ａ）〜（Ｃ）で示される立体形状の飼育用具１Ａを組み
立てることができる。
【００５１】
なお、実施形態２の飼育用具１Ａは、図３（Ｄ）のように展開されるものに限らず、例えば図３（Ｅ）に示すように展開されるものであってもよい。
【００５２】
（作用効果）
以上説明した実施形態２の飼育用具１Ａは、実施形態１の飼育用具１と同様に、小動物に対して、行動の多様化を支援するとともに、適度に乾燥した好適な飼育環境を提供できる。更に、実施形態２の飼育用具１Ａは、底部１１Ａが正六角形であるので、比較的大きな床面を提供して床敷材としての十分に機能を発揮可能であるとともに、概ねドーム型で比較的広い暗所の中空部１４Ａを提供できる。そのため、小動物に快適な飼育環境を提供できる。その上、展開した形状が複雑ではなく、折り目１６Ａで折り曲げて２組の辺（辺Ｅ１とＥ３、及び辺Ｅ２とＥ４）を重ねて突片１１１Ａを挿入孔１１３Ａへ嵌挿するという、簡単な手順で組み立てることができる。
【００５３】
≪変形例≫
なお、組み立てた飼育用具は、中空の正五角柱や正三角台塔に限らず、中空の多面体において何れかの側面を開口させた他の立体形状を有してもよい。飼育用具は、例えば、四角柱、正五角柱以外の五角柱、六角柱、その他の角柱、正四角台塔、正三角錐柱、正四角錐柱、双三角錐塔等の中空の多面体において何れかの側面を開口させた立体形状を有してもよい。そして、飼育用具は、これらの立体形状を展開した様々なシート状の形状を有してもよい。
【符号の説明】
【００５４】
１、１Ａ  飼育用具
１１、１１Ａ  底部
１１１、１１１Ａ  突片
１１２  開口板
１１３、１１３Ａ  挿入孔
１２、１２Ａ  屋根部
１３、１３Ａ  壁部
１４、１４Ａ  中空部
１５、１５Ａ  開口部
１６、１６Ａ  折り目
２  飼育ケージ
４  パルプ断片
Ｍ  マウス（小動物）
【図１】
0003197410.tif 000003
【図２】
0003197410.tif 000004
【図３】
0003197410.tif 000005